(57)【特許請求の範囲】
【請求項１】
コイル巻装部及びこのコイル巻装部の両端にフランジ部を有するボビンと、
このボビンに嵌合されたコアと、
前記コイル巻装部に巻装されたコイルと、
前記ボビンに設けられ前記コイルのコイル端末が絡げられる巻線処理端子と、
前記コイル端末を絡げる前記巻線処理端子における一側部に設けられ、底部に前記コイル端末を切断可能なナイフエッジ部を形成した絡げ凹部と、
前記コイル端末を絡げる前記巻線処理端子における、前記絡げ凹部の反対側に位置する他側部に設けられ、該他側部における角部を覆い、外面がＲ面に形成したコイル保護層と、
を有してなり、
前記絡げ凹部の内部と前記コイル保護層の外面にわたり前記コイル端末を絡げるとともに絡げたコイル端末を前記ナイフエッジ部で切断するようにしたことを特徴とするコイル巻装部品。
【請求項２】
前記絡げ凹部は、Ｖ字状もしくはＵ字状であり、その底部に、前記ナイフエッジ部が設けられていることを特徴とする請求項１に記載のコイル巻装部品。
【請求項３】
前記コイル保護層は、樹脂製であることを特徴とする請求項１または請求項２に記載のコイル巻装部品。
【請求項４】
前記コイル巻装部から延びる前記コイル端末が、前記絡げ凹部の反対側に位置する前記コイル保護層の外面に掛け始めてから前記絡げ凹部へ向かって絡げように前記巻線処理端子に前記コイル端末を巻き付けることを特徴とする請求項１、請求項２または請求項３に記載のコイル巻装部品。
【発明の詳細な説明】
【技術分野】
【０００１】
この発明は、例えば、デジタルカメラのストロボ発振トランス等のコイル巻装部品に関する。
【背景技術】
【０００２】
トランス、チョークコイル等のコイル巻装部品は、特許文献１に示すように、例えば、フェノール樹脂を材料とするコア、コイルボビンを有し、コイルボビンに設けられたコイル巻装部には１次巻線と２次巻線とからなるコイルが巻装されている。コイルボビンには端子台が設けられ、この端子台には巻線処理端子が外方に突出して設けられている。
【０００３】
巻線処理端子は、短冊状の金属片からなり、端子台に所定間隔を存して複数個設けられており、コイル巻装部に巻装されたコイルの巻き始め端末及び巻き終り端末を前記巻線処理端子に絡げた後、そのコイル端末を切断し、コイル絡げ部を巻線処理端子に半田付けしている。
【０００４】
また、トランスにおいて、コイルの引出し線の断線防止構造において、特許文献１に示すように、引出し線をピン端子に配線した上、引出し線を隣のピン端子との間に複数回絡げて半田付けした後、最初に配線したピン端子を根元部で切断したものも知られている。
【特許文献１】実用新案登録第２５３９７１０号公報
【特許文献２】特開昭６３−２９９１６号公報
【発明の開示】
【発明が解決しようとする課題】
【０００５】
ところで、特許文献１は、コイル巻装部に巻装したコイルの巻き始め端末及び巻き終り端末を巻線処理端子に絡げた後、そのコイル端末を切断するには、コイルを引張って切断している。しかし、コイルは巻線処理端子の部分で切断されるとは限らず、コイル端末が巻線処理端子の側方に延びるとともに、コイル巻装部品の小型化に伴って隣り合うリード端子が接近して設けられている。したがって、巻線処理端子の側方に延びたコイル端末が隣り合う巻線処理端子やコイル端末と接触して電気的に短絡してしまうことがある。
さらに、コイルは２０μｍφという極細のワイヤであるため、コイルの巻き始め端末及び巻き終り端末を巻線処理端子に絡げたとき、巻線処理端子の角部によってコイルが屈曲されてしかも圧接した状態になる。この状態で、コイル絡げ部を半田付けすると、半田溶解熱によってコイルが断線することがある。
【０００６】
また、特許文献２は、最初に配線したピン端子を根元部で切断し、コイルの引出し線に負担がかからないようにしてコイルの断線事故を防止したものであり、工程数が増えてコストアップの原因となる。
この発明は、前記事情に着目してなされたもので、その目的とするところは、ボビンのコイル巻装部に巻装したコイルの巻き始め端末及び巻き終り端末を巻線処理端子に絡げた後、そのコイル端末の処理が確実に行え、電気的な短絡、断線等を防止でき、工程数の減少と信頼性を向上できるコイル巻装部品を提供することにある。
【課題を解決するための手段】
【０００７】
請求項１は、コイル巻装部及びこのコイル巻装部の両端にフランジ部を有するボビンと、
このボビンに嵌合されたコアと、
前記コイル巻装部に巻装されたコイルと、
前記ボビンに設けられ前記コイルのコイル端末が絡げられる巻線処理端子と、
前記コイル端末を絡げる前記巻線処理端子における部位の一側部に設けられ、底部に前記コイル端末を切断可能なナイフエッジ部を形成した絡げ凹部と、
前記コイル端末を絡げる前記巻線処理端子における部位の前記絡げ凹部の反対側に位置する他側部に設けられ、該他側部における角部を覆い、外面がＲ面に形成したコイル保護層と、
を有してなり、前記絡げ凹部と前記コイル保護層にわたり前記コイル端末を絡げるとともに絡げたコイル端末を前記ナイフエッジ部で切断するようにしたことを特徴とするコイル巻装部品である。
【０００８】
請求項２は、請求項１の前記絡げ凹部は、Ｖ字状もしくはＵ字状であり、その底部にナイフエッジ部が設けられていることを特徴とする。
【０００９】
請求項３は、請求項１または請求項２に記載のコイル巻装部品において、前記コイル保護層は、樹脂製であることを特徴とする。
請求項４は、請求項１、請求項２または請求項３に記載のコイル巻装部品において、前記コイル巻装部から延びる前記コイル端末が、前記絡げ凹部の反対側に位置する前記コイル保護層の外面に掛け始めてから前記絡げ凹部へ向かって絡げように前記巻線処理端子に前記コイル端末を巻き付けることを特徴とする。
【発明の効果】
【００１０】
この発明によれば、巻線処理端子に、コイルの巻き始め端末及び巻き終り端末を切断するナイフエッジ部を設けることにより、コイルを巻線処理端子の部分で確実に切断でき、電気的な短絡を防止でき、信頼性を向上できるという効果がある。
【発明を実施するための最良の形態】
【００１１】
以下、この発明の実施の形態を図面に基づいて説明する。
【００１２】
図１〜図３はコイル巻装部品としてストロボ発振トランスの第１の実施形態を示し、図１は全体の斜視図、図２はコイルを除いた状態のボビンとコアの分解斜視図、図３はコアを除いた状態のボビンの側面図である。
【００１３】
図１〜図３に示すように、ボビン１０とコア１１はＭｎ−Ｚｎ  ＭＴ３０Ｄ等によって成形されており、ボビン１０は、角筒状で、上下方向に貫通する貫通孔１２を有するコイル巻装部１３の両端には上部フランジ部１４と下部フランジ部１５が設けられている。上部フランジ部１４は矩形状で、その上部における左右両側部には貫通孔１２の幅と略同一幅の嵌合凹部１６が設けられている。したがって、上部フランジ部１４の上面には低部と高部との段差が形成され、その段差部にはコア１１が嵌合される嵌合凹部１６が上部に向って開拡するように傾斜面１７ａに形成されている。この傾斜面１７ａは上部フランジ部１４の上面と嵌合凹部１６との角部を鈍角としてボビン１０の強度アップを図っている。
下部フランジ部１５も矩形状で、その下部における左右両側部には貫通孔１２の幅と略同一幅の嵌合凹部１８が設けられている。下部フランジ部１５の下面も低部と高部との段差が形成され、その段差部には傾斜面１７ｂに形成されている。この傾斜面１７ｂは下部フランジ部１５の下面と嵌合凹部１８との角部を鈍角としてボビン１０の強度アップを図っている。
さらに、下部フランジ部１５の上面における前部及び後部には端子台１９がボビン１０と一体に設けられている。したがって、嵌合凹部１８を挟んで前部及び後部に平行に端子台１９が形成されている。これら端子台１９は上面に外方に向って下り勾配の傾斜面２０を有しており、その上面の一部は上方に突出し、その突出部の上面が平坦面２１に形成されている。したがって、平坦面２１と傾斜面２０との両者間に段差部２２が形成され、この段差部２２は端子台１９の前後方向（コイル巻装部１３と端子台１９の外側部との間）に亘って連通してコイル端末挿通部２３を形成している。
【００１４】
また、端子台１９の下面における両端部にはトランスをプリント基板等に実装するための実装端子２４が設けられ、前後の側面には実装端子２４と一体に形成された複数個の巻線処理端子２５が設けられている。実装端子２４は端子台１９の下面及び側面に沿ってＬ字状に折曲して形成されている。巻線処理端子２５は、図４及び図５に示すように、端子台１９の側面から外方に突出する端子板２５ａが矩形状で、その一側部には後述するコイルの巻き始め端末及び巻き終り端末を絡げる絡げ凹部２６が設けられ、他側部（絡げ凹部２６と反対側の角部）にはボビン１０と一体に成形された樹脂からなるコイル保護層２７が設けられている。なお、このコイル保護層２７はボビン１０と一体に成形することに限定されず、別部材を巻線処理端子２５に固着してもよい。
【００１５】
絡げ凹部２６はＶ字状もしくはＵ字状の切欠部であり、その底部は端子板２５ａを薄肉にしたナイフエッジ部２８が設けられ、絡げ凹部２６に絡げたコイル端末を簡単に切断できるように形成されている。また、コイル保護層２７は、その外周面がＲ面２７ａに形成され、絡げ凹部２６に絡げるコイル端末が端子板２５ａの角部に接触しないように保護するようになっている。
前記コア１１は、ボビン１０の上下方向から該ボビン１０を挟持するように嵌合されている。コア１１はＥＥ型であり、両端脚部２９はボビン１０の両側部で互いに当接し、中央脚部３０はボビン１０の貫通孔１２の内部で互いに当接している。そして、コア１１の基部３１はボビン１０の嵌合凹部１６，１８に嵌合されている。
【００１６】
さらに、ボビン１０のコイル巻装部１３には、２０μｍφという極細のワイヤで、例えば１次巻線と２次巻線からなるコイル３２が巻装されている。このコイル３２の巻き始め端末及び巻き終り端末のコイル端末３３は端子台１９の段差部２２によって形成されたコイル端末挿通部２３を挿通し、巻線処理端子２５の絡げ凹部２６に絡げられ、半田付けによって巻線処理端子２５に固定されている。
【００１７】
この場合、コイル端末３３は巻線処理端子２５の絡げ凹部２６に２〜３回（反）巻き付けた後、コイル端末３３の中途部が絡げ凹部２６の底部に押付けられるようにしてコイル端末３３を引っ張って切断するが、絡げ凹部２６の底部にはナイフエッジ部２８が形成されているため、コイル端末３３をナイフエッジ部２８で簡単かつ確実に切断でき、コイルの余剰端末が巻線処理端子２５からヒゲ状に延びることはなく、隣り合う巻線処理端子２５やコイル端末３３に接触する電気的短絡を防止できる。
また、絡げ凹部２６に絡げたコイル端末３３は、コイル保護層２７の外周面のＲ面２７ａに接触した状態に絡げられるので、コイル端末３３が端子板２５ａの角部に強く接触することはない。したがって、コイル絡げ部を半田付けする際に、半田溶解熱が端子板２５ａに加わっても、この部分で、コイル端末３３が断線（溶断）することは少なく、コイル巻装部品の信頼性を向上できる。
なお、コイル巻装部品としてストロボ発振トランスについて説明したが、トリガーコイル、チョークコイル等のコイル巻装部品にも適用できる。
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図面の簡単な説明】
【００１８】
【図１】この発明の第１の実施形態のストロボ発振トランスを示す全体の斜視図。
【図２】同実施形態を示し、コイルを除いた状態のボビンとコアの分解斜視図。
【図３】同実施形態を示し、コアを除いた状態のボビンの側面図。
【図４】同実施形態を示し、ボビンの一部を示す斜視図。
【図５】同実施形態を示し、（ａ）は巻線処理端子の斜視図、（ｂ）は巻線処理端子の縦断側面図。
【符号の説明】
【００１９】
１０…ボビン、１１…コア、１３…コイル巻装部、１４，１５…フランジ部、１９…端子台、２５…巻線処理端子、２６…絡げ凹部、２８…ナイフエッジ部、２７…コイル保護層、２７ａ…Ｒ面、３２…コイル、３３…コイル端末
【図１】
0004825590.tif 000002
【図２】
0004825590.tif 000003
【図３】
0004825590.tif 000004
【図４】
0004825590.tif 000005
【図５】
0004825590.tif 000006